(57)【特許請求の範囲】
【請求項１】
継手および光ファイバを具備し、前記継手が前記光ファイバ上に被せられた光ファイバコネクタアセンブリであって、
該光ファイバコネクタアセンブリは内部ジャケット要素、弾性要素、および外部ジャケット要素を具備し、
前記内部ジャケット要素は前記継手の一方の端部上に被せられ、前記弾性要素の一方の端部は前記継手に隣接した前記内部ジャケット要素の一方の端部に対して当接し、前記外部ジャケット要素は前記内部ジャケット要素および前記継手上に被せられ、前記外部ジャケット要素の一方の端部は前記内部ジャケット要素にスライド可能に接続され、且つ前記弾性要素の他方の端部に対して当接しており、
前記外部ジャケット要素の他方の端部の内壁にはバンプが設けられ、該バンプは円筒形であり、
前記継手は座屈弾性片を具備し、該座屈弾性片は前記内部ジャケット要素から離れた前記継手の一方の端部に固定され、且つ前記座屈弾性片は前記内部ジャケット要素に向かって延びており、
前記外部ジャケット要素の他方の端部の内壁には、前記外部ジャケット要素の軸方向に沿って配置された楔ブロックが設けられ、該楔ブロックは前記座屈弾性片を押圧するように構成されていることを特徴する光ファイバコネクタアセンブリ。
【請求項２】
前記外部ジャケット要素の他方の端部の内壁には、２つの対向したバンプが設けられていることを特徴する請求項１に記載の光ファイバコネクタアセンブリ。
【請求項３】
前記光ファイバコネクタアセンブリは２つの保護キーを具備し、該２つの保護キーは前記継手の２つの側部上の互いに反対側に配置され、前記２つの保護キーの断面は、前記光ファイバコネクタアセンブリの中心線を含んだ垂直面に関して完全に対称であり、且つ前記保護キーの断面はＤ字形状であり、前記保護キーは前記継手の軸方向に沿って延びており、前記内部ジャケット要素から離れた前記継手の一方の端部は、前記２つの保護キーの間に保持されていることを特徴する請求項１または２に記載の光ファイバコネクタアセンブリ。
【請求項４】
前記保護キーの各々の一方の端部には溝が設けられ、該溝は別の光ファイバコネクタアセンブリの保護キー上に被せられるように構成されていることを特徴する請求項３に記載の光ファイバコネクタアセンブリ。
【請求項５】
前記弾性要素はバネであり、前記弾性要素は前記内部ジャケット要素上に被せられていることを特徴する請求項１〜４のいずれか一項に記載の光ファイバコネクタアセンブリ。
【請求項６】
前記光ファイバコネクタアセンブリはコネクタアセンブリダストキャップを具備し、該コネクタアセンブリダストキャップの一方の端部にはコネクタアセンブリ受容キャビティが形成され、該コネクタアセンブリ受容キャビティは前記コネクタアセンブリダストキャップの軸方向に沿って延びており、前記コネクタアセンブリ受容キャビティには前記座屈弾性片に適合した第１ノッチが形成され、前記コネクタアセンブリ受容キャビティは前記２つの保護キーおよび前記継手を受け入れ、前記コネクタアセンブリダストキャップの周囲には第１シュートが形成され、該第１シュートはバヨネット機構により前記バンプと結合することを特徴する請求項３または４に記載の光ファイバコネクタアセンブリ。
【請求項７】
ソケットを具備し、該ソケットには光ファイバスロットおよび２つの保護キースロットが形成されており、前記光ファイバスロットおよび２つの保護キースロットは前記ソケットの軸方向に沿って延び、前記光ファイバスロットには第２ノッチが形成され、前記２つの保護キースロットは前記光ファイバスロットの２つの側部に配置され、前記ソケットの周囲には第２シュートが形成され、該第２シュートはバヨネット機構の外周溝であることを特徴する光ファイバアダプタ。
【請求項８】
前記ソケットは円筒形状であることを特徴する請求項７に記載の光ファイバアダプタ。
【請求項９】
前記保護キースロットのスロット開口部はＤ字形状であることを特徴する請求項７または８に記載の光ファイバアダプタ。
【請求項１０】
前記光ファイバアダプタはアダプタダストキャップを具備し、該アダプタダストキャップの一方の端部には、前記光ファイバアダプタを受け入れるためのアダプタ受容キャビティが形成され、前記アダプタ受容キャビティの内壁にはバンプが設けられ、該バンプは前記第２シュート内にスライド可能に接続されていることを特徴する請求項７〜９のいずれか一項に記載の光ファイバアダプタ。
【請求項１１】
前記アダプタ受容キャビティの内壁には、２つの対向したバンプが設けられていることを特徴する請求項１０に記載の光ファイバアダプタ。
【請求項１２】
光ファイバコネクタアセンブリと、該光ファイバコネクタアセンブリに適合した光ファイバアダプタと、を具備した光ファイバコネクタであって、
前記光ファイバコネクタアセンブリは継手と、光ファイバと、内部ジャケット要素と、弾性要素と、外部ジャケット要素と、を具備し、
前記継手は前記光ファイバ上に被せられ、前記内部ジャケット要素は前記継手の一方の端部上に被せられ、前記弾性要素の一方の端部は前記継手に隣接した前記内部ジャケット要素の一方の端部に対して当接し、前記外部ジャケット要素は前記内部ジャケット要素および前記継手上に被せられ、前記外部ジャケット要素の一方の端部は、前記内部ジャケット要素にスライド可能に接続され且つ前記弾性要素の他方の端部に対して当接し、前記弾性要素は、前記継手から離れる方向において弾性力を前記外部ジャケット要素に負荷するように構成され、前記外部ジャケット要素の他方の端部の内壁にはバンプが設けられ、前記継手は座屈弾性片を具備し、該座屈弾性片は前記内部ジャケット要素から離れた前記継手の一方の端部に固定され、前記座屈弾性片は前記内部ジャケット要素に向かって延びており、前記外部ジャケット要素の他方の端部の内壁には、前記外部ジャケット要素の軸方向に沿って配置された楔ブロックが設けられ、該楔ブロックは前記座屈弾性片を押圧するように構成されており、
前記光ファイバアダプタはソケットを具備し、該ソケットには光ファイバスロットおよび２つの保護キースロットが形成され、前記光ファイバスロットおよび２つの保護キースロットは前記ソケットの軸方向に沿って延びており、前記光ファイバスロットには第２ノッチが形成され、該第２ノッチは前記座屈弾性片に適合し、前記２つの保護キースロットは前記光ファイバスロットの２つの側部に配置され、前記光ファイバスロットは前記継手に適合しており、
前記光ファイバコネクタアセンブリは保護キーをさらに具備し、前記保護キースロットは前記保護キーに適合し、前記ソケットの周囲には第２シュートが形成されており、該第２シュートはバヨネット機構により前記バンプと結合することを特徴とする光ファイバコネクタ。
【発明の詳細な説明】
【技術分野】
【０００１】
本発明はコンピュータ通信の分野、特に光ファイバアダプタ、光ファイバコネクタ、および光ファイバコネクタアセンブリに関する。
【背景技術】
【０００２】
既存の屋外用光ファイバコネクタは、光ファイバコネクタと光アダプタとが互いに係合され且つ係止される場合に、光ファイバコネクタアセンブリを係止するための単一ネジ係止様式を一般的に使用している。しかしながら、光ファイバコネクタアセンブリは、付加的な係止構造を備えておらず、したがって、係止および係止解除の際に複数回だけ回転される必要があり、これによって使用において不便さを引き起こしている。
【発明の概要】
【発明が解決しようとする課題】
【０００３】
本発明の実施形態によって解決される技術的課題は、光ファイバコネクタアセンブリ、光ファイバアダプタ、および光ファイバコネクタを提供し、先行技術におけるネジ係止様式の使用に起因した使用時の不便さの問題を解決することである。
【課題を解決するための手段】
【０００４】
本発明の実施形態は光ファイバコネクタアセンブリを提供しており、この光ファイバコネクタアセンブリは、継手および光ファイバを含み、継手が光ファイバに被せられており、光ファイバコネクタアセンブリは内部ジャケット要素、弾性要素、および外部ジャケット要素を含み、内部ジャケット要素は継手の一方の端部上に被せられ、弾性要素の一方の端部は継手に隣接した内部ジャケット要素の一方の端部に対して当接し、外部ジャケット要素は内部ジャケット要素および継手上に被せられ、外部ジャケット要素の一方の端部は内部ジャケット要素にスライド可能に接続され、且つ弾性要素の他方の端部に対して当接しており、弾性要素は、継手から離れる方向において弾性力を外部ジャケット要素に負荷するように構成されており、外部ジャケット要素の別の端部の内壁にはバンプが設けられ、継手は座屈弾性片を含み、座屈弾性片は内部ジャケット要素から離れた継手の一方の端部に固定され、且つ座屈弾性片は内部ジャケット要素に向かって延びている。
【０００５】
光ファイバアダプタが提供され、この光ファイバアダプタはソケットを含み、ソケットには光ファイバスロットおよび２つの保護キースロットが形成されており、光ファイバスロットおよび２つの保護キースロットはソケットの軸方向に沿って延び、光ファイバスロットにはノッチが形成され、２つの保護キースロットは光ファイバスロットの２つの側部に配置され、ソケットの周囲には第２シュートが形成され、第２シュートはらせん形状であり、第２シュートはソケットの軸方向に沿ってソケットの一方の端部から延びており、第２シュートの広がりの端部はソケットの一方の端部に向かって曲げられている。
【０００６】
光ファイバコネクタが提供され、この光コネクタは、光ファイバコネクタアセンブリと、光ファイバコネクタアセンブリに適合した光ファイバアダプタと、を含み、
光ファイバコネクタアセンブリは継手と、光ファイバと、内部ジャケット要素と、弾性要素と、外部ジャケット要素と、を具備し、
継手は前記光ファイバ上に被せられ、内部ジャケット要素は継手の一方の端部上に被せられ、弾性要素の一方の端部は継手に隣接した内部ジャケット要素の一方の端部に対して当接し、外部ジャケット要素は内部ジャケット要素および継手上に被せられ、外部ジャケット要素の一方の端部は、内部ジャケット要素にスライド可能に接続され且つ弾性要素の他方の端部に対して当接し、弾性要素は、継手から離れる方向において弾性力を外部ジャケット要素に負荷するように構成され、外部ジャケット要素の他方の端部の内壁にはバンプが設けられ、継手は座屈弾性片を含み、座屈弾性片は内部ジャケット要素から離れた継手の一方の端部に固定され、座屈弾性片は内部ジャケット要素に向かって延びており、光ファイバアダプタは、光ファイバスロットおよび２つの保護キースロットが形成されたソケットを含み、光ファイバスロットおよび２つの保護キースロットはソケットの軸方向に沿って延びており、光ファイバスロットには第２ノッチが形成され、第２ノッチは座屈弾性片に適合し、２つの保護キースロットは光ファイバスロットの２つの側部に配置され、光ファイバスロットは継手に適合しており、光ファイバコネクタアセンブリは保護キーをさらに具備し、保護キースロットは保護キーに適合し、ソケットの周囲には第２シュートが形成されており、第２ノッチはバンプに適合し、第２シュートはらせん形状であり、第２シュートはソケットの軸方向に沿ってソケットの一方の端部から延びており、第２シュートの広がりの後端はバンプにラッチ係合する。
【０００７】
本発明において提供された光ファイバコネクタは、屋外用コネクタとして使用されて、プラグアンドプレイを達成し得る。光ファイバコネクタはブラインド結合を支援し、操作は便利である。光ファイバコネクタを組み込みおよび離脱するためにかかる時間は、共通ネジコネクタを組み込みおよび離脱するためにかかる時間の５分の１のみである。
【０００８】
本発明の実施形態における技術的解決策をより明確に図示するために、以下において実施形態または先行技術を記載するために必要とされた添付図を簡潔に導入している。明確に、以下の記載における添付図は本発明の幾つかの実施形態を単に示したものであり、当業者はこれらの添付図から創造的な努力なしに他の図を導き出し得る。
【図面の簡単な説明】
【０００９】
【図１】本発明において提供された光ファイバコネクタを示した概略図である。
【図２】図１の光ファイバコネクタアセンブリを示した概略図である。
【図３】図２の光ファイバコネクタアセンブリを示した分解図である。
【図４】図２の光ファイバコネクタアセンブリの内部を示した概略図である。
【図５】図２の光ファイバコネクタアセンブリの端面を示した概略図である。
【図６】２つの光ファイバサブアセンブリの間の接続を示した概略図である。
【図７】図６の２つの光ファイバサブアセンブリの間の接続の際の、保護キーを示した概略図である。
【図８】図２の光ファイバコネクタアセンブリの座屈弾性片が押圧された状態を示した概略図である。
【図９】図１の光ファイバコネクタの光ファイバアダプタを示した概略図である。
【図１０】図９の光ファイバアダプタを示した分解図である。
【発明を実施するための形態】
【００１０】
以下の記載は、本発明の実施形態において、添付図を参照して本発明の実施形態における技術的解決策を明確に記載している。明らかに、記載された実施形態は、本発明のすべての実施形態というよりもむしろ単なる一部である。創造的な努力なくして本発明の実施形態に基づいて当業者によって得られた他のすべての実施形態は、本発明の保護範囲内に収まる。
【００１１】
本発明の実施形態によって提供された光ファイバコネクタアセンブリは、バンプおよびシュートを通じて簡素且つ迅速な係止を実行する。
【００１２】
図１を参照すると、本発明の実施形態が光ファイバコネクタ１００を提供している。光ファイバコネクタ１００は、光ファイバコネクタアセンブリ１０と、光ファイバコネクタアセンブリ１０に適合した光ファイバアダプタ２０と、を含んでいる。
【００１３】
図２〜図４を参照すると、光ファイバコネクタアセンブリ１０は継手１１、光ファイバ１２、内部ジャケット要素１３、弾性要素１４、外部ジャケット要素１５、２つの保護キー１６、および後側リテーナ１７を含んでいる。継手１１、内部ジャケット要素１３、弾性要素１４、および外部ジャケット要素１５は、光ファイバ１２上に連続して被せられている。
【００１４】
継手１１は光ファイバ１２上に被せられている。この実行様式においては、継手１１は複数の段を備えた円筒形状である。光ファイバ１２は継手１１を貫通している。継手１１は互いに反対側に配置された２つの端部１１ａおよび１１ｂを備え、光ファイバ１２は継手１１の端部１１ｂから突出しており、この端部は内部ジャケット要素１３から離れている。内部ジャケット要素１３は継手１１の端部１１ａ上に被せられている。継手１１は座屈弾性片１１ｃを含み、座屈弾性片１１ｃは継手１１の端部１１ｂに固定されており、この端部は内部ジャケット要素１３から離れており、座屈弾性片１１ｃは内部ジャケット要素１３に向かって延びている。光ファイバ１２の内部アラミドフィラメント糸は、リベットリング９を使用して継手１１の端部１１ａにリベット固定されている。
【００１５】
内部ジャケット要素１３は、互いに反対側に配置された２つの端部１３ａおよび１３ｂを含んでいる。内部ジャケット要素１３の端部１３ａは、継手１１の端部１１ｂにネジ結合されている。内部ジャケット要素１３の他方の端部１３ｂは、ナット８を使用して光ファイバ１２の外部アラミドフィラメント糸とともに固定されている。リベットリング９を使用したリベット固定およびナット８を使用した固定は、光ファイバコネクタアセンブリ１０の引張強度を増大させ得る。内部ジャケット要素１３の端部１３ａには、シール機能を備えたＯ字形状シールリング７およびＯ字形状シールリング６が被せられている。内部ジャケット要素１３の端部１３ａは、シャフトショルダ１３ｃを含んでいる。シャフトショルダ１３ｃは、弾性要素１４に対して当接するように構成されている。
【００１６】
弾性要素１４は、互いに反対側に配置された２つの端部１４ａおよび１４ｂを含んでいる。弾性要素１４の端部１４ａは、継手１１に隣接した内部ジャケット要素１３の端部１３ａに対して当接している。この実行様式においては、弾性要素１４はバネであり、弾性要素１４は内部ジャケット要素１３上に被せられている。弾性要素１４の端部１４ａは、内部ジャケット要素１３のシャフトショルダ１３ｃに対して当接している。
【００１７】
外部ジャケット要素１５は、互いに反対側に配置された２つの端部１５ａおよび１５ｂを含んでいる。外部ジャケット要素１５は、内部ジャケット要素１３および継手１１上に被せられており、外部ジャケット要素１５の端部１５ａは、内部ジャケット要素１３にスライド可能に接続されており、且つ弾性要素１４の他方の端部１４ｂに対して当接している。弾性要素１４は、継手１１から離れる方向（方向Ａ）に外部ジャケット要素１５に弾性力を負荷し、接続のゆるみに対して保護するように構成されている。外部ジャケット要素の他方の端部１５ｂの内壁は、配置されたバンプ１５ｃを備えている。
【００１８】
この実行様式においては、外部ジャケット要素１５は複数の段付きボアを備えた円筒形状である。外部ジャケット要素１５の端部１５ａはフランジ１５ｄを形成し、弾性要素１４の他方の端部１４ｂに対して当接するように構成されている。弾性要素１４は、フランジ１５ｄとシャフトショルダ１３ｃとの間に挟まれている。外部ジャケット要素１５の他方の端部１５ｂの内壁には２つの対向したバンプ１５ｃが設けられ、バンプ１５ｃは円筒形のバンプである。もちろん、他の実行様式においては、バンプ１５ｃの数は、外部ジャケット要素１５の軸方向に沿って１つ以上とされてもよい。
【００１９】
外部ジャケット要素１５の他方の端部１５ｂの内壁は、外部ジャケット要素１５の軸方向に沿って配置された楔ブロック１５ｅ（図５参照）を備え、楔ブロック１５ｅは座屈弾性片１１ｃを押圧して、座屈弾性片１１ｃのロック解除を達成するように構成されている。外部ジャケット要素１５の他方の端部１５ｂの外側面は矢印の整列識別子を備え、光ファイバコネクタ１００の接続状態および緩和状態を示すように構成されている。外部ジャケット要素１５上の矢印が光ファイバアダプタ２０の「Ｏ」によって特定された垂直線（図９参照）と整列されていた場合、光ファイバコネクタ１００は緩和状態にある。外部ジャケット要素１５上の矢印が光ファイバアダプタ２０の「Ｃ」によって特定された垂直線と整列されていた場合、光ファイバコネクタ１００は係止状態にある。外部ジャケット要素１５の端部１５ａの外側面は対称な平坦面を備えており、その面内に垂直な浅い溝１５ｆを備え、手触りをより顕著なものとしている。
【００２０】
２つの保護キー１６は、継手１１の２つの側部に互いに反対側に配置されて、保護キー１６は継手１１の軸方向に沿って延びており、内部ジャケット要素１３から離れた継手１１の端部１１ｂは、２つの保護キー１６の間に保持されている。保護キー１６は継手１１の端部１１ｂから突出し、継手の保護を達成しており、且つ光ファイバコネクタアセンブリ１０が挿入されもしくは離脱された場合に、他の部品との接触によって継手１１の端部が汚染されることを防止しているか、または継手１１が例外的に落下した場合に、ぶつかりに対して継手１１を保護している。この実行様式においては、保護キー１６の一方の端部は筒１６ａに固定されており、筒１６ａは継手１１の端部１１ｂに被せられている。保護キー１６の端部は、一方の端部に段付き溝１６ｂを備えた長方形片であり、段付き溝１６ｂは、別の光ファイバコネクタアセンブリ１１０の保護キー１１６上に被せられるように構成されている。光ファイバコネクタアセンブリ１１０の保護キー１１６は長方形片であり、より小さい空間およびラダー構造を有しており、したがって２つの光ファイバサブアセンブリ１０および１１０の間の相互接続を達成している。相互接続の間に、より小さい空間を有する保護キー１１６は保護キー１６の段付き溝１６ｂ内に保持され、したがって、２つの光ファイバサブアセンブリ１０および１１０の継手の端面が効果的に互いに接触することを確実にしている（図６および図７参照）。この実施形態においては、２つの保護キー１６の断面は、図７に示したように完全に対称である。もちろん、他の実行様式においては、２つの保護キー１６の断面は完全に対称でなくてもよい。
【００２１】
内部ジャケット要素１３の端部１３ｂは、ゴム製の熱収縮スリーブ５を通じて光ファイバ１２に固定され、且つシールされている。
【００２２】
後側リテーナ１７はゴム製の熱収縮スリーブ５上に被せられ、リテーナリング４を使用して固定されており、光ファイバコネクタアセンブリ１０の引張強度および気密性を増大している。後側リテーナ１７は最初に組み立てられ、次いでゴム製の熱収縮スリーブ５上に被せられてもよく、一体化された射出様式において最後に被せられてもよい。
【００２３】
光ファイバコネクタアセンブリ１０は、コネクタアセンブリダストキャップ３０を含んでいる。コネクタアセンブリダストキャップ３０は防塵性且つ防水性であり、継手を保護するように構成されている。コネクタアセンブリダストキャップ３０が消失することを防止するために、コネクタアセンブリダストキャップ３０は、飾り紐１を使用して光ファイバコネクタアセンブリ１０に取り付けられている。コネクタアセンブリダストキャップ３０の端部３１にはコネクタアセンブリ受容キャビティ３１０が形成されており、コネクタアセンブリ受容キャビティ３１０はコネクタアセンブリダストキャップ３０の軸方向に沿って延びており、コネクタアセンブリ受容キャビティ３１０は、継手１１および保護キー１６を受け入れる。コネクタアセンブリダストキャップ３０は、Ｏ字形状のシールリング２を備えている。
【００２４】
コネクタアセンブリ受容キャビティ３１０には、座屈弾性片１１ｃに適合した第１ノッチ３１０ａが形成されている。コネクタアセンブリダストキャップ３０の周囲には第１シュート３１ａが形成され、第１シュート３１ａはバンプ１５ｃに適合しており、第１シュート３１ａはらせん形状であり、第１シュート３１ａはコネクタアセンブリダストキャップ３０の端部３１からコネクタアセンブリダストキャップ３０の軸方向に沿って延びており、第１シュート３１ａの延びの後端３１ｂは、バンプ１５ｃをラッチ留めする。この実行様式においては、第１シュート３１ａの広がりの後端３１ｂはコネクタアセンブリダストキャップ３０の端部３１に向かって曲げられている。第１シュート３１ａの広がりの後端３１ｂは、バンプ１５ｃに適合したアーク形状である。
【００２５】
コネクタアセンブリダストキャップ３０は光ファイバコネクタアセンブリ１０にラッチ留めされ、外部ジャケット要素１５が回転した場合、楔ブロック１５ｅは座屈弾性片１１ｃを下に押圧し（図８参照）、継手１１および保護キー１６をコネクタアセンブリ受容キャビティ３１０内に挿入する。光ファイバコネクタアセンブリ１０のバンプ１５ｃは、コネクタアセンブリダストキャップ３０の第１シュート３１ａ内にスライドする。外部ジャケット要素１５が回転され、バンプ１５ｃは第１シュート３１ａの後端３１ｂにスライドする。一方で、楔ブロック１５ｅは座屈弾性片１１ｃから外れ、座屈弾性片１１ｃは第１ノッチ３１０ａ内にスナップ係合し、これによって二重係止を達成している。コネクタアセンブリダストキャップ３０および光ファイバコネクタアセンブリ１０のラッチ係合は、前述の作業を通じて実行される。弾性要素１４は外部ジャケット要素１５のための引張力を発生し、バンプ１５ｃは第１シュート３１ａの後端３１ｂに当接し、これによって接続が緩むことを防止している。取り外し工程の間に、外部ジャケット要素１５は、前述のラッチ工程の逆方向に回転され、これによって係止解除工程を達成する。
【００２６】
図９および図１０を参照すると、光ファイバアダプタ２０は２つのソケット２１を含み、２つのソケット２１および光ファイバアダプタ２０の中央の２つのソケット２１の間のセラミックスリーブ２１ａは、超音波を使用して一体に溶接されてもよい。
【００２７】
ソケット２１には光ファイバスロット２１０および２つの保護キースロット２１１が形成され、光ファイバスロット２１０および２つの保護キースロット２１１はソケット２１の軸方向に沿って延びている。光ファイバスロット２１０は継手１１に適合し、保護キースロット２１１は保護キー１６に適合し、２つの保護キースロット２１１は光ファイバスロット２１０の２つの側部に配置されている。この実行様式においては、ソケット２１は円筒形である。光ファイバスロット２１０は正方形スロットである。保護キー１６および保護キー１６に適合した保護キースロット２１１の断面は、両方とも異なった上部幅および底部幅を有するＤ字形状であり、挿入をガイドし、逆挿入または不正確な挿入のような誤作業を防止している。すなわち、光ファイバコネクタアセンブリ１０が光ファイバアダプタ２０内に挿入されるとき、保護キー１６および保護キースロット２１１のＤ字形状断面が同じ方向でない場合、光ファイバコネクタアセンブリ１０は光ファイバアダプタ２０内に挿入できない。
【００２８】
光ファイバスロット２１０には第２ノッチ２１０ａが形成され、第２ノッチ２１０ａは座屈弾性片１１ｃに適合している。ソケット２１の周囲には第２シュート２１ｂが形成されており、第２シュート２１ｂはらせん形状であり、第２シュート２１ｂはソケット２１の端部２１２からソケット２１の軸方向に沿って延びており、第２シュート２１ｂの広がりの後端２１ｃはソケット２１の端部２１２に向かって曲げられている。第２シュート２１ｂの広がりの後端２１ｃはバンプ１５ｃにラッチ係合する。この実行様式においては、第２シュート２１ｂおよび第１シュート３１ａは同一の形状である。
【００２９】
光ファイバコネクタアセンブリ１０が光ファイバアダプタ２０内に挿入された場合、保護キー１６および継手１１は２つの保護キースロット２１１および光ファイバスロット２１０内にそれぞれ挿入され、楔ブロック１５ｅは座屈弾性片１１ｃを下向きに押圧し、光ファイバコネクタアセンブリ１０のバンプ１５ｃは、光ファイバアダプタ２０の第２シュート２１ｂ内にスライドし、外部ジャケット要素１５は回転され、バンプ１５ｃは第２シュート２１ｂの後端２１ｃ内にスライドし、これによってロックを達成する。一方で、楔ブロック１５ｅは座屈弾性片１１ｃから外れ、座屈弾性片１１ｃは第２ノッチ２１０ａにスナップ内に係合し、これによって二重係止を達成している。光ファイバコネクタアセンブリ１０と光ファイバアダプタ２０との間の接続は、前述の作業を通じて実行される。取り外し工程の間に、外部ジャケット要素１５は、前述のラッチ工程の逆方向に回転され、これによってロック解除工程を達成する。
【００３０】
光ファイバアダプタ２０はアダプタダストキャップ４０を含み、アダプタダストキャップ４０の一方の端部には、光ファイバアダプタ２０を受容するためのアダプタ受容キャビティ４１が形成され、アダプタ受容キャビティ４１の内壁にはバンプ４１０が設けられており、バンプ４１０は第２シュート２１ｂ内にスライド可能に接続されている。この実行様式においては、アダプタ受容キャビティ４１の内壁には、対向した２つの円筒バンプ４１０が設けられている。アダプタダストキャップ４０の端部４１の外側面は矢印の整列識別子を備え、アダプタダストキャップ４０が密に係止されているかどうかを示すように構成されている。アダプタダストキャップ４０は、Ｏ次形状のシールリング２を備えている。アダプタダストキャップ４０は飾り紐２３を使用して光ファイバアダプタ２０に取り付けられ、アダプタダストキャップ４０が消失することを防止している。
【００３１】
光ファイバアダプタ２０とアダプタダストキャップ４０との間の接続工程は、コネクタアセンブリダストキャップ３０を光ファイバコネクタアセンブリ１０にラッチ係合する接続工程と同一である。
【００３２】
本発明において提供された光ファイバコネクタは、屋外コネクタとして使用されて、プラグアンドプレイを達成し得る。光ファイバコネクタはブラインド結合を支援し、操作は便利である。光ファイバコネクタを組み込みおよび離脱するためにかかる時間は、共通ネジコネクタを組み込みおよび離脱するためにかかる時間の５分の１のみである。
【００３３】
最後に、前述の実施形態は、本発明を限定することよりもむしろ、単に本発明の技術的解決策を記載することを目的としたものであることが理解されるべきである。本発明は前述の実施形態を参照して詳細に記載されているが、当業者は、本発明の実施形態の技術的解決策の範囲から逸脱することなく、それらが前述の実施形態において記載された技術的解決策をさらに改良するか、またはある技術的解決策に等価に置き換え得ることを理解するべきである。
【符号の説明】
【００３４】
１  ・・・飾り紐
２  ・・・シールリング
４  ・・・リテーナリング
５  ・・・熱収縮スリーブ
６，７  ・・・Ｏ字形状シールリング
８  ・・・ナット
９  ・・・リベットリング
１０，１１０  ・・・光ファイバコネクタアセンブリ
１１  ・・・継手
１２  ・・・光ファイバ
１３  ・・・内部ジャケット要素
１４  ・・・弾性要素
１５  ・・・外部ジャケット要素
１６，１１６  ・・・保護キー
１７  ・・・後側リテーナ
２０  ・・・光ファイバアダプタ
２１  ・・・ソケット
３０  ・・・コネクタアセンブリダストキャップ
４０  ・・・アダプタダストキャップ
４１  ・・・アダプタ受容キャビティ
１００  ・・・光ファイバコネクタ
２１０  ・・・光ファイバスロット
２１１  ・・・保護キースロット
３１０  ・・・コネクタアセンブリ受容キャビティ
４１０  ・・・円筒バンプ
【図１】
0006459090.tif 000002
【図２】
0006459090.tif 000003
【図３】
0006459090.tif 000004
【図４】
0006459090.tif 000005
【図５】
0006459090.tif 000006
【図６】
0006459090.tif 000007
【図７】
0006459090.tif 000008
【図８】
0006459090.tif 000009
【図９】
0006459090.tif 000010
【図１０】
0006459090.tif 000011